(57)【特許請求の範囲】
【請求項１】
入力される複数の光を波長多重して伝送路へ向けて出力し、かつ、前記伝送路からの波長多重された光の少なくとも一部を波長ごとに分けて出力する波長多重部と、
前記波長多重部と前記伝送路との間で光を入出力する第１光スイッチと、
自装置の制御光を出力し、および他装置からの制御光を入力する制御光処理部と、
前記第１光スイッチと前記伝送路との間に位置し、前記制御光と前記第１光スイッチからの光とを多重して前記伝送路へ向けて出力し、かつ、前記伝送路からの光のうち前記他装置からの制御光を前記制御光処理部へ、当該他装置からの制御光以外の光を前記第１の光スイッチへ、それぞれ分離して出力する制御光制御部と、
前記制御光処理部と前記制御光制御部との間に設置される第2光スイッチと、
前記第１光スイッチについて、前記波長多重部と前記伝送路との間で光を通過させる経路と、前記波長多重部からの光を前記波長多重部へ折り返す経路と、のいずれかを設定し、前記第2光スイッチについて、前記制御光処理部と前記制御光制御部との間で光を通過させる経路と、前記制御光処理部からの光を前記制御光処理部へ折り返し、かつ、前記制御光制御部からの光を前記制御光制御部へ折り返す経路と、のいずれかを設定するする監視制御部とを有することを特徴とする光伝送装置。
【請求項２】
前記監視制御部は、前記第１光スイッチについて前記波長多重部からの光を前記波長多重部へ折り返す経路を設定するときに、前記光伝送路からの光を前記光伝送路へ折り返す経路も設定することを特徴とする請求項１に記載の光伝送装置。
【請求項３】
前記第1光スイッチは２ｘ２光スイッチであることを特徴とする請求項１に記載の光伝送装置。
【請求項４】
試験光の光源部と、前記光源部と前記波長多重部との間で光を入出力する第３光スイッチとをさらに有し、前記第３光スイッチは、入力された光の折り返し機能のオン・オフを前記監視制御部に制御されることを特徴とする請求項１に記載の光伝送装置。
【請求項５】
前記第３光スイッチと前記波長多重部との間に設置され、前記波長多重部から出力される前記試験光をスイッチする第４光スイッチをさらに有することを特徴とする請求項４に記載の光伝送装置。
【請求項６】
前記監視制御部は、外部に設けられる監視制御端末から前記第1光スイッチの設定の指示を受けることを特徴とする請求項１に記載の光伝送装置。
【請求項７】
前記第３光スイッチと前記波長多重部との間に設置される波長可変フィルタ部をさらに有することを特徴とする請求項４に記載の光伝送装置。
【請求項８】
波長多重部と第1光スイッチと制御光処理部と制御光制御部とを有し、外部装置と接続されかつ前記外部装置と信号光を送受信するＯＡＤＭ装置による光伝送方法であって、
前記波長多重部により、入力される複数の光を波長多重して出力するステップと、
前記波長多重部から出力される光を前記第1光スイッチにより、前記制御光制御部へ出力するか、前記波長多重部へ折り返して出力するかをスイッチするステップと、
前記第1光スイッチがスイッチした光と前記制御光処理部が出力する制御光とを、前記制御光制御部により多重して対向するＯＡＤＭ装置へ送信するステップと、
前記対向するＯＡＤＭ装置から受信する光を、前記制御光制御部により制御光と他の光に分離するステップと、
前記制御光処理部が出力する制御光と、前記制御光制御部により分離された前記制御光とを、前記制御光処理部と前記制御光制御部との間に設置される第２光スイッチによりスイッチするステップと、
前記他の光を前記第1光スイッチに入力してスイッチするステップと、
前記波長多重部を介して前記外部装置から送信される信号光について、前記第1光スイッチによって前記波長多重部を介して入力元へ折り返されるか否かにより、伝送路での障害の発生の有無を判断するステップと、
を有し、
前記第２光スイッチは、入力された光の折り返し機能のオンであるときに、入力された光を入力元へ折り返して送信することを特徴とする光伝送方法。
【請求項９】
前記制御光処理部が出力する制御光について、前記第２光スイッチの前記折り返し機能によって折り返されるか否かにより、伝送路での障害の発生の有無を判断するステップをさらに有することを特徴とする請求項８に記載の光伝送方法。
【請求項１０】
光源により試験光を出力するステップと、
前記光源と前記波長多重部との間で前記試験光を入出力する第３光スイッチによりスイッチするステップとをさらに有し、
前記第３光スイッチは、入力された光の折り返し機能のオンであるときに、入力された光を入力元へ折り返して送信することを特徴とする請求項８に記載の光伝送方法。
【請求項１１】
前記第１光スイッチは、入力された光の折り返し機能のオンであるときに、入力された光を入力元へ折り返して送信し、
前記光源が出力し、前記第３光スイッチ及び前記波長多重部を介して前記第１光スイッチに入力する前記試験光について、前記第１光スイッチの前記折り返し機能によって折り返されるか否かにより、伝送路での障害の発生の有無を判断するステップをさらに有することを特徴とする請求項１０に記載の光伝送方法。
【発明の詳細な説明】
【技術分野】
【０００１】
本発明は、波長多重された光信号を伝送する伝送装置および伝送方法に関する。
【背景技術】
【０００２】
光通信システムでは、通信容量を拡大しながらシステムコストを低減するため、一般的に波長の異なる複数の信号光を一本の光ファイバに束ねて通信する波長多重光伝送技術が適用されている。実際のシステムでは、波長の異なる複数の信号光を一本の光ファイバに束ねるための光挿入部や、束ねられた複数の信号光を波長毎に分離するための光分岐部、距離の離れた２地点間の伝送路となる光ファイバで発生する光信号の損失を補償するための光ファイバ増幅部から構成される波長多重機能部を設置する。また、波長多重機能部に対して、波長多重に適した波長を持つ光信号に変換するためのトランスポンダ部を設置する。これらの波長多重機能部とインタフェース部を組み合わせることにより、長距離に渡って安価な通信を提供することが可能となる。
【０００３】
図１は、波長多重光伝送システムを用いた一般的なネットワーク構成を示す。ネットワーク構成としては、地域単位の加入者に対してＯＬＴ（Ｏｐｔｉｃａｌ  Ｌｉｎｅ  Ｔｅｒｍｉｎａｌ）装置１−２やＯＮＵ（Ｏｐｔｉｃａｌ  Ｎｅｔｗｏｒｋ  Ｕｎｉｔ）装置１−３を用いたＦＴＴＨ（Ｆｉｂｅｒ  Ｔｏ  Ｔｈｅ  Ｈｏｍｅ）サービスを提供するアクセス１−４、地域単位の加入者からの通信を複数のＬ２（Ｌａｙｅｒ  ２）スイッチ１−５を用いて地域群にて集約するためのエッジ１−６、Ｌ２（Ｌａｙｅｒ  ２）スイッチで集約された通信を都市単位に集約するメトロ１−７、都市単位で集約した大容量の通信に対して、大都市間を効率よく長距離伝送するためのコア１−８から構成される。本ネットワークにおいて、ＯＡＤＭ（Ｏｐｔｉｃａｌ  Ａｄｄ  Ｄｒｏｐ  Ｍｕｌｔｉｐｌｅｘｅｒ）装置１−１は比較的広範囲に散らばった通信を一箇所に集約するために用いられる光伝送システムである。
【０００４】
図２は、ＯＡＤＭ装置１−１の一般的な構成例である。図２では２台のＯＡＤＭ装置１−１が２台の伝送路２−１を挟んで互いに向かい合った構成になっている。ＯＡＤＭ装置１−１では波長多重された複数の光信号から所望の信号を取り出すため、もしくは所望の信号を波長多重して再び複数の信号群に束ねるための波長多重機能部２−５、波長多重機能部２−５から分岐された信号を、ＯＡＤＭ装置１−１に収容される加入者信号と区別して適切に変換するため、もしくは加入者信号を適切に変換し、分岐挿入部で波長多重するためのトランスポンダ部２−３、また波長多重機能部２−５、トランスポンダ部２−３に対して監視制御を行うための監視制御部２−４から構成される。
監視制御光制御部２−２は、トランスポンダ部２−３より出力された信号光２−７と監視制御部２−４から制御された監視制御光処理部２−４−１からの監視光２−６を波長多重し伝送路２−１に対して送出する。さらに、監視制御光制御部２−２は伝送路２−１から受信した波長多重された信号光２−７と監視制御光処理部２−４−１からの監視光２−６をそれぞれに波長分離し、分離されたそれぞれの光はトランスポンダ部２−３と監視制御部２−４に入力される。
【０００５】
図２でのＯＡＤＭ装置１−１では、信号光に関しては点線２−７で示すような経路で信号光が伝播し、監視制御光処理部２−４−１からは、実線２−６で示されるように監視制御光２−６が伝播する。すなわち、監視制御光処理部２−４−１からの光は対向するＯＡＤＭ装置１−１の監視制御光制御部２−２で分離され、対向するＯＡＤＭ装置１−１の監視制御光処理部２−４−１に入力される。また、信号光２−７は監視制御光制御部２−２を通過した後、波長多重機能部２−５に入力される。
【０００６】
図３は波長多重された信号波長群３−２と監視制御信号３−１との波長多重光を説明するための図である。一般的なＯＡＤＭ装置１−１では、例えば特許文献１のように、実際の通信データを運ぶ複数の波長多重された信号群３−２と、遠隔に配置されたＯＡＤＭ装置１−１同士の制御や監視に用いる信号の通信を実現するための監視制御信号３−１が存在する。図３では３２個の波長多重された信号波長群３−２と１個の監視制御信号３−１が示されており、また監視制御信号３−１が信号波長群３−２の短波側に配置されているが、監視制御信号３−１が長波側に配置されている場合や、複数の監視制御信号３−１が配置されている場合、信号波長が３２個以外の数値で波長多重されている場合もある。
【０００７】
一般的なＯＡＤＭ装置１−１では、複数の光信号から所望の信号を取り出したり、もしくは所望の信号を波長多重して再び複数の信号群に束ねたりする機能は波長多重機能部２−５において行われる。また、遠隔に配置されたＯＡＤＭ装置１−１間の監視制御信号の通信に関しては、例えば伝送路２−１からの入力部分に配置された監視制御光制御部２−２において波長多重光から監視制御信号だけを分岐し、また伝送路２−１に対する出力部分に配置された監視制御光制御部２−２において信号波長に対して監視制御信号を挿入している。
【０００８】
図４は波長多重機能部２−５、トランスポンダ部２−３、トランスポンダ部２−３に接続されるルータなどの外部装置部４−１の接続関係を表す図である。トランスポンダ部２−３は波長多重側インタフェース部２−３−１、外部装置側インタフェース部２−３−４から構成される。また、波長多重側インタフェース部は送信部２−３−２、受信部２−３−３から構成され、送信部２−３−２では波長多重に適した波長を持つ光信号に変換して波長多重部２−５に送出し、受信部２−３−３では波長多重部２−５から送出された光信号を受信する。さらに、外部装置側インタフェース部２−３−４も同様に、送信部２−３−６、受信部２−３−５から構成され、外部装置４−１からの光信号を受信したり、外部装置４−１に対して光信号を送信したりする。外部装置４−１も同様に、トランスポンダ部２−３に対して送信するための送信部４−２とトランスポンダ部２−３から受信するための受信部４−３から構成される。ここで、外部装置４−１から送信される信号は波長多重に適した波長を具備しているとは限らないため、外部装置４−１の送信部４−２から送出された光信号はそのままの波長では波長多重部２−５に対して入力することが出来ない。
【先行技術文献】
【特許文献】
【０００９】
【特許文献１】特開２００３−０４６４５６号公報
【発明の概要】
【発明が解決しようとする課題】
【００１０】
このような一般的な構成を持つＯＡＤＭ装置１−１では、外部装置４−１と接続する度にトランスポンダ部２−３を追加で設置する必要がある。そのため、複数の外部装置４−１を接続する場合には、トランスポンダ部２−３を増設せざるを得ず、その結果、システムの価格が上昇してしまう。
【００１１】
そこで、トランスポンダ部２−３を用いる代わりに、予め外部装置４−１の送信部４−２から出力される信号の波長を波長多重に適した波長とし、トランスポンダ部２−３を用いることなく波長多重機能部２−５に接続される構成を用いる場合、システムの価格を低減化できる。
【００１２】
しかし、トランスポンダ部２−３は単純に光信号を波長多重に適した波長に変換しているだけでなく、ＯＡＤＭ装置１−１を用いたネットワーク内部で発生した障害の発生箇所を切り分けたり、特定したりする目的にも用いられるため、障害発生時の障害切り分けや障害区間の特定などに対する構成が別途必要になる。そのため、このような構成では、運用価格が増大し、結果としてトータルの価格が押し上げられるという課題がある。
【００１３】
このようなトランスポンダ部２−３を持たない構成を持つＯＡＤＭ装置で、障害発生時の取り扱いを容易にする対策としては、
１）外部装置４−１の監視機能を強化する
２）ＯＡＤＭ装置１−１の監視機能を強化する
の２つが考えられる。
【００１４】
このうち、１）の外部装置４−１に具備されている監視機能を強化する方法に関しては、外部装置４−１に備わっている光入出力強度監視などの物理層に対する監視機能を強化する方法、イーサネット（登録商標）ＯＡＭ、ＭＰＬＳ ＯＡＭなどのデータリンク層、ネットワーク層に対する監視機能を強化する方法などが考えられる。しかし、いずれの監視機能もＯＡＤＭ装置内部を監視しているのではなく、ＯＡＤＭ装置の外からのエンドツーエンドでの監視機能である。そのため、ＯＡＤＭ装置を用いたネットワーク内部で障害が発生した場合、ＯＡＤＭ装置の内部のどこで発生している障害なのか、その障害に対してどのような対処を行うべきかなどの具体的な情報を得ることができない。つまり、外からエンドツーエンドで監視しているだけでは、ＯＡＤＭ装置の内部で発生している障害を具体的に切り分けることが出来ない。
【００１５】
また、外部装置４−１に対して新しい機能を具備することで本課題を解決するということは、既にネットワークに導入されている外部装置４−１はこのような新しい機能が具備されていないため、利用する事が出来ないということになる。
【００１６】
また、２）のＯＡＤＭ装置１−１に具備されている監視機能を強化する方法に関しては、波長多重されている光信号毎に監視機能を設けることで、光信号毎の有無を確認することが可能となり、監視機能を強化することは出来る。しかし、収容されている波長多重数毎に本監視機能を具備する必要があり、構成が複雑になる上、ＯＡＤＭ装置としての価格は増大する。また、光スペクトラムアナライザのような光特性を解析する機能をＯＡＤＭ装置毎に具備することで、光信号毎に監視の強化は可能となるが、構成が複雑になる上、光スペクトラムアナライザは非常に高価なため、ＯＡＤＭ装置１−１としての価格はやはり増大する。
【００１７】
上記の通り、トランスポンダ部２−３を持たないＯＡＤＭ装置では、ＯＡＤＭ装置１−１を用いたネットワーク内で発生した障害に対する切り分けを、複雑化及び高価格化を回避しながら実現する必要がある。
【課題を解決するための手段】
【００１８】
トランスポンダ部を持たないＯＡＤＭ装置について、障害発生箇所などを特定する際に、例えば安価な２ｘ２（２入力、２出力）の光スイッチを用いて、光ループバック機能を用い、障害発生の有無を判断する。
光ループバックはＯＡＤＭ装置１−１の複数個所で実施することが可能であるため、複数の箇所で順次光ループバックを行いながら光ループバック光の有無などを順次確認することも可能である。従って、ループバックされた光信号を観測することにより、障害が発生した区間の特定が可能となり、障害回復のための行動が可能となる。
【００１９】
本発明による光伝送装置は、一例として、入出力する光について波長多重する波長多重部と、前記波長多重部へ光を入出力する第1光スイッチと、制御光を入出力する制御光処理部と、前記制御光と前記波長多重部が出力する光との多重もしくは分離を行う制御光制御部と、前記第1光スイッチについて、入力された光の折り返し機能のオン・オフを制御する監視制御部とを有することを特徴とする。ここで、前記制御光処理部と前記制御光制御部との間に設置される第2光スイッチをさらに有し、前記監視制御部は、前記第2光スイッチについてさらに入力された光の折り返し機能のオン・オフを制御してもよい。また、他の光伝送装置と伝送路を介して接続され、前記他の光伝送装置と相互に光を送受信してもよい。
【００２０】
本発明による光伝送方法は、一例として、波長多重部と第1光スイッチと制御光処理部と制御光制御部とを有するＯＡＤＭ装置による光伝送方法であって、入出力する光を前記波長多重部により波長多重するステップと、前記波長多重部から出力される光を前記第1光スイッチによりスイッチするステップと、前記第1光スイッチがスイッチした光と前記制御光処理部が出力する制御光とを、前記制御光制御部により多重して対向するＯＡＤＭ装置へ送信するステップと、前記対向するＯＡＤＭ装置から受信する光を、前記制御光制御部により制御光と他の光に分離するステップと、前記他の光を前記第1光スイッチに入力してスイッチするステップとを有し、前記第1光スイッチは、入力された光の折り返し機能のオンであるときに、入力された光を入力元へ折り返して送信する。ここで、前記制御光処理部が出力する制御光と、前記制御光制御部により分離された前記他の光とを、前記制御光処理部と前記前記制御光制御部との間に設置される第２光スイッチによりスイッチするステップをさらに有し、前記第２光スイッチは、入力された光の折り返し機能のオンであるときに、入力された光を入力元へ折り返して送信してもよい。
【発明の効果】
【００２１】
トランスポンダ部２−３を持たないＯＡＤＭ装置について、構成の複雑化による高価格化を回避しながら、ＯＡＤＭ装置で構成されたネットワーク内部で発生した障害に対して切り分けが容易となる。
【図面の簡単な説明】
【００２２】
【図１】ネットワーク全体の概略的な構成の一例の図
【図２】一般的なＯＡＤＭ装置の概略的な構成の一例の図
【図３】波長多重信号の一例の図
【図４】ＯＡＤＭ装置と外部装置との接続の一例の図
【図５】トランスポンダ部を持たないＯＡＤＭ装置の一例の図
【図６】遠隔から監視制御するための監視制御端末と組み合わせたＯＡＤＭ装置の一例の図
【図７】光ループバック機能を実現するための光スイッチの動作を説明する図
【図８】光ループバック機能が具備されたＯＡＤＭ装置の一例の図
【図９】障害が発生した場合の状態を説明する図
【図１０】光ループバック機能が具備されたＯＡＤＭ装置において、障害発生時の光スイッチの動作を説明する図
【図１１】光ループバック機能が具備されたＯＡＤＭ装置において、障害発生時の光スイッチの動作を説明する図
【図１２】光ループバック機能が具備されたＯＡＤＭ装置において、ループバック用の光源部が具備された構成の一例の図
【図１３】光ループバック機能が具備されたＯＡＤＭ装置において、ループバック用の光源部が具備された構成での信号の流れの一例の図
【図１４】複数のＯＡＤＭ装置に対して光ループバック機能を実現するための構成の一例の図
【図１５】光スプリッタ部の機能を説明する図
【図１６】光スイッチ部の機能を説明する図
【発明を実施するための形態】
【００２３】
図５は第一の実施例として、２ｘ２光スイッチを用い、トランスポンダ部を持たず、外部装置４−１が波長多重機能部２−５に直接接続されているＯＡＤＭ装置について説明するための図である。本図において、外部装置４−１は、１のＯＡＤＭ装置に対して複数接続しているが、簡単のため、４−１、４−２、４−３の番号付けは１のＯＡＤＭ装置に接続する最も右の外部装置についてのみ記載する。以下、外部装置４−１の図面での記載については同様である。外部装置４−１の送信部４−２から出力された信号光２−７は波長多重機能部２−５に入力され、２ｘ２光スイッチ５−１を通過する。さらに、監視制御光処理部２−４−１から出力された監視光２−６は２ｘ２光スイッチ５−２を通過して、監視制御光制御部２−２にて外部装置４−１の送信部４−２から出力された信号光２−７と波長多重される。さらに、伝送路２−１を通過した後、隣接している隣のＯＡＤＭ装置１−１に入力される。ＯＡＤＭ装置１−１に入力された信号光２−７は当該隣のＯＡＤＭ装置１−１の監視制御光制御部２−２にて監視光２−６と波長分離された後、２ｘ２光スイッチ５−１を通過して波長多重機能部２−５に入力され、その後外部装置４−１の受信部４−３に対して入力される。また、監視光２−６は監視制御光制御部２−２にて信号光２−７と波長分離された後、２ｘ２光スイッチ５−２を通過して制御光処理部２−４−１に入力される。  図６は、遠隔に設置されているＯＡＤＭ装置１−１を遠隔から監視制御するための監視制御端末６−１と組み合わせたＯＡＤＭ装置を説明するための図である。監視制御端末６−１は監視制御部２−４と接続されており、監視制御端末６−１からの指示で遠隔に設置されているＯＡＤＭ装置１−１に搭載されている２ｘ２光スイッチ５−１、５−２を遠隔から駆動することが可能である。つまり、監視制御端末６−１から任意の箇所の２ｘ２光スイッチを遠隔駆動することが可能となり、任意の場所にて遠隔で後述する光ループバック機能を実施することが可能である。なお、図６の監視制御端末６−１は、以降で説明するＯＡＤＭ装置１−１に接続可能であるため、以降で説明するＯＡＤＭ装置を用いても任意の場所で遠隔で後述する光ループバック機能を実施することが可能である。また、監視制御部２−４に自律的に後述する光ループバックを実施する機能を持たせることも可能である。
【００２４】
図７は図５の構成で利用する２ｘ２光スイッチ５−１、５−２の動作を説明するための図である。２ｘ２光スイッチ５−１、５−２では４つのポートＡ、Ｂ、Ｃ、Ｄがあり、すべてのポートは入力にも出力にも利用できる。また、光スイッチの内部状態としては少なくとも二つの状態があり、ポートＡとポートＢ、ポートＣとポートＤのポートが接続されている状態と、ポートＡとポートＤ、ポートＣとポートＢが接続されている状態がある。このような動作を行う２ｘ２光スイッチ５−１、５−２を用いて光ループバック機能を実現する。通常状態の場合には、この光スイッチは、左図のように、ＯＡＤＭ装置の信号路の信号光の伝送方向における一の端に対抗するポート（例えばA）から他の端に対向するポート（例えばB）に信号を透過させるように接続する。また、、ループバック機能が必要な場合には、この光スイッチは、右図のように、ＯＡＤＭ装置の信号路の信号光の伝送方向における一の端に対抗するポート（例えばA）から当該一の端に向かう方向へ信号を送出するポート（例えばD）に信号を折り返すように接続する。右図のように、光スイッチに入力される信号を折り返すことで、光ループバック機能を実現することが可能となる。
図８は、図７で説明された２ｘ２光スイッチの動作を用いて構成された光ループバック機能が具備されたＯＡＤＭ装置１−１の動作を説明するための図である。上図は通常状態の２ｘ２光スイッチ５−１、５−２の状態を表しており、右から入力された信号光２−７は光スイッチ５−１をポートＡからポートＢに対して通過して、波長多重機能部２−５に到達する。また、同様に波長多重機能部２−５から出力された信号光２−７は２ｘ２光スイッチ５−１をポートＣからポートＤに対して通過し、右の方に出力される。さらに、監視光２−６は監視制御光制御部２−２にて波長分離され２ｘ２光スイッチ５−２のポートＡからポートＢに対して通過して、制御光処理部２−４−１に入力される。また、制御光処理部２−４−１から出力された監視光２−６は、２ｘ２光スイッチ５−２のポートＣからポートＤに対して通過し、監視制御光制御部２−２にて波長多重された後、右の方に出力される。下図はループバック機能が動作した状態での２ｘ２光スイッチ５−１、５−２の状態を表しており、右から入力された信号光２−７は光スイッチ５−１をポートＡからポートＤに対してループバックされ、そのまま信号光２−７の入力元への方向に出力される。また、波長多重機能部２−５から出力された信号光２−７は２ｘ２光スイッチ５−１をポートＣからポートＢに対してループバックされ、そのまま信号光２−７の入力元への方向に出力される。さらに、右から入力された監視光２−６は監視制御光制御部２−２にて波長分離され、２ｘ２光スイッチ５−２のポートＡからポートＤに対してループバックされ、再び監視制御光制御部２−２で波長多重された後、入力元への方向に出力される。さらに、制御光制御部２−４−１から出力された監視光２−６は、２ｘ２光スイッチ５−２のポートＣからポートＢに対してループバックされ、そのまま再び制御光制御部２−４−１に入力される。
このように、図７で説明される２ｘ２光スイッチを用いることで、図８で説明したような光レベルでのループバック機能を実現することが可能となる。
次に、このようなループバック機能が具備されたＯＡＤＭ装置において、障害発生区間を実際に特定するための手順などを説明する。
図９は二つの隣接するＯＡＤＭ装置１−１間で障害９−１が発生した場合を示す図である。外部装置４−１の受信部４−３に入力されるべき信号光２−７や制御光処理部２−４−１に入力されるべき監視光２−６が伝送出来なくなるため、通信経路上のどこかのポイントにて障害が発生したことが検出される。しかし、本ループバック機能を適用しない状態では、通信経路上のどの場所で障害が発生したのかを特定することが出来ないため、障害発生を復旧させるための行動を取ることができない。
これに対して、図１０は２ｘ２光スイッチ５−１及び５−２にてループバックを行う場合の信号光２−７、監視光２−６の経路を説明するための図である。外部装置４−１の受信部４−３に入力されるべき信号光２−７や制御光処理部２−４−１に入力されるべき監視光２−６が伝送出来ない場合、障害発生を検出することとなり、光スイッチのループバック機能ＯＮ/正常がスイッチされることとなる。すなわち、障害発生箇所を特定するために、監視制御端末からの指示あるいは監視制御部により光スイッチを切り替え、折り返し信号の有無を調べる。
左側のＯＡＤＭ装置１−１において２ｘ２光スイッチ５−１にてループバック設定を行う場合、信号光２−７は外部装置４−１の受信部４−３に正常に入力されることが確認されるため、外部装置４−１と波長多重機能部２−５の間に障害が発生していないことが分かる。同様に、右側のＯＡＤＭ装置１−１において２ｘ２光スイッチ５−１にてループバック設定を行う場合、信号光２−７は外部装置４−１の受信部４−３に正常に入力されることが確認されるため、左側のＯＡＤＭ装置と同様に、右側のＯＡＤＭ装置においても外部装置４−１と波長多重機能部２−５の間に障害が発生していないことが分かる。また、左側のＯＡＤＭ装置１−１と右側のＯＡＤＭ装置１−１において、監視光２−６も２ｘ２光スイッチ５−２に対するループバック設定によって正常に制御光制御部２−４−１に受信されるため、監視光２−６のルートに対しても障害が発生していないことが判明する。なお、ＯＡＤＭ装置内での障害検出のためのループバック機能ＯＮの設定は、信号光についての光スイッチ５−１だけでもよく、監視光についての光スイッチ５−２だけでもよく、またこの双方ともであってもよい。双方の設定とする場合には、信号光ルートと監視光ルートのいずれに障害発生があるかを判定できる。
図１１は右側のＯＡＤＭ装置１−１の２ｘ２光スイッチ５−１のみループバック設定をし、その他の２ｘ２光スイッチ５−２や左側のＯＡＤＭ装置１−１の２ｘ２光スイッチ５−１、５−２は通常の設定になっている場合の、信号光２−７、監視光２−６の経路を説明するための図である。右側の制御光処理部２−４−１から出力された監視光２−６は障害箇所９−１の影響で左側のＯＡＤＭ装置の制御光処理部２−４−１には届かない。また、左側の外部装置４−１の送信部４−２から出力された信号光２−７は右側のＯＡＤＭ装置１−１に届き、２ｘ２光スイッチ５−１にてループバックされるが、障害発生箇所９−１のために、左側の外部装置４−１の受信部４−３には届かない。これにより、右側のＯＡＤＭ装置１−１から左側のＯＡＤＭ装置１−１の間の伝送路で障害が発生したことが特定される。このように、２つのＯＡＤＭ装置を用いて構成する場合、少なくとも一部の光スイッチのループバック機能をＯＮに設定した対向ＯＡＤＭ装置へ送信した信号が、折り返されて送信されてくるか否かを確認することにより、２つのＯＡＤＭ装置の間の伝送路に障害が発生か否かを判定できる。  ここで、外部装置４−１がＯＡＤＭ装置１−１に接続されていない場合、ＯＡＤＭ装置１−１単独では信号光２−７を送出する機能部を持たないため、障害切り分け時に信号光２−７の折り返し有無の確認による障害検出ができない場合がある。例えば、外部装置４−１がＯＡＤＭ装置１−１に対して全く接続されていない状態で、図１１で説明されたような障害発生箇所９−１が存在した場合、図１１の構成ではそもそも信号光２−７が存在しないため、障害発生箇所９−１を特定することが不可能となる。
【００２５】
図１２は第二の実施例として、外部装置４−１から信号光を入力しない場合の構成を説明するための図である。図１２では、ＯＡＤＭ装置１−１にループバック試験を行うための試験光の光源部１２−６を搭載したループバック試験部１２−１０が接続されている。また、図１２では２台のＯＡＤＭ装置１−１が２台の伝送路２−１を挟んで互いに向かい合った構成になっている。ループバック試験部１２−１０は光スプリッタ部１２−１、光スイッチ部１２−２、波長可変フィルタ部１２−３、２ｘ２光スイッチ部１２−４、光スプリッタ部１２−５、光源部１２−６、入出力部１２−９から構成されている。また、光源部１２−６は送信部１２−７、受信部１２−８から構成されている。光スイッチ部１２−４は、監視制御部２−４に接続された前述の監視制御端末６−１の指示により遠隔に駆動させることが可能であり、監視制御部２−４が自律的に光スイッチ部１２−４を駆動させることも可能である。
【００２６】
図１３は図１２で説明した第二の実施例を用いた場合のループバック試験の実施例を示している。２ｘ２光スイッチ５−１、２ｘ２光スイッチ１２−４の設定が全て正常用の場合、右側のループバック試験部１２−１０の光源部１２−６の送信部１２−７から送出された試験光１３−１は、左側のループバック試験部１２−１０の光源部２−６の受信部１２−８に入力される。一方、２ｘ２光スイッチ１２−４の設定がループバック機能ＯＮの場合、右側のループバック試験部１２−１０の光源部１２−６の送信部１２−７から送出された試験光１３−５が、右側のループバック試験部１２−１０の内部に搭載されている２ｘ２光スイッチ１２−４内部でループバックし、自分の装置の中で折り返されて、再び光源部１２−６の受信部１２−８に入力され、試験光１３−５が正常に受信されたかどうかを確認する。次に、ループバック試験部１２−１０の２ｘ２光スイッチ１２−４の設定を正常用に戻し、ＯＡＤＭ部１−１の２ｘ２光スイッチ５−１の設定をループバック機能ＯＮにする。この場合、光源部１２−６から出力された試験光１３−４は２ｘ２光スイッチ５−１にてループバックされ、また光源部１２−６の受信部１２−８に入力され、試験光１３−４が正常に受信されたかどうかを確認する。さらに、ＯＡＤＭ部１−１の２ｘ２光スイッチ５−１の設定を正常用に戻し、対向するＯＡＤＭ装置１−１の中に搭載されている２ｘ２光スイッチ５−１の設定をループバック機能ＯＮにする。この場合、光源部１２−６から出力された試験光１３−３は対向するＯＡＤＭ装置１−１に搭載されている２ｘ２光スイッチ５−１にてループバックされ、また光源部１２−６の受信部１２−８に入力され、試験光１３−３が正常に受信されたかどうかを確認する。次に、対向するＯＡＤＭ装置１−１に搭載されている２ｘ２光スイッチ５−１の設定をループバック機能をオフにして正常用に戻し、対向するループバック試験部１２−１０の内部に搭載されている２ｘ２光スイッチ１２−４の設定をループバック機能ＯＮにする。この場合、光源部１２−６から出力された試験光１３−２は対向するループバック試験部１２−１０に搭載されている２ｘ２光スイッチにてループバックされ、また光源部１２−６の受信部１２−８に入力され、試験光１３−２が正常に受信されたかどうかを確認する。
【００２７】
以上のループバック試験は右側のループバック試験部１２−１０に搭載されている光源部１２−６のみを用いて試験を行ったが、同様の試験を対向のループバック試験部１２−１０に対しても行うことで、外部装置４−１が接続されていないＯＡＤＭ装置１−１でも、障害発生箇所を特定することが可能となる。なお、送信側に配置された波長可変フィルタ部１２−３は光源部１２−６の送信部１２−７から出力された試験光の波長と一致させる必要があり、また、受信側に配置された波長可変フィルタ部１２−３は光源部１２−６の受信部１２−８への入力として期待される試験光の波長と一致させる必要がある。本波長可変フィルタ１２−３が送信側の配置になる場合には、試験光１３−５の送信部１２−７の故障により意図しない波長の試験光が入力されることを防止する。また、本波長可変フィルタ１２−３が受信側の配置になる場合には、試験光１３−５の受信部１２−８に対して期待しない波長が外部から入力されることで、受信部１２−８が誤動作、誤検出することを防止する。
【００２８】
図１４は第三の実施例として、一のループバック試験部１２−１０が複数のＯＡＤＭ装置１−１に接続されている場合の構成例を説明するための図である。ループバック試験部１２−１０は図１２で説明したものと同じであるが、１台のループバック試験部１２−１０が複数のＯＡＤＭ部１−１と接続されている。この結果、ループバック試験部１２−１０が共有化されているという点でコスト的に有利な構成となっている。なお、図１４では１台のループバック試験部１２−１０は３台のＯＡＤＭ部１−１と接続されているが、３台以上のＯＡＤＭ部１−１と接続することも可能である。
【００２９】
図１５は第三の実施例における光スプリッタ部１２−１の動作を説明するための図である。ループバック試験部１２−１０の内部に搭載されている光スプリッタ部１２−１は光源部１２−６に対して送信側に配置されている。そのため、送信部１２−７から出力された試験光は光スプリッタ部１２−１にて分岐され、上側のＯＡＤＭ装置１−１に対しては試験光１５−１を、真ん中のＯＡＤＭ装置１−１に対しては試験光１５−２を、下のＯＡＤＭ装置１−１に対しては試験光１５−３を、それぞれ同時に入力する。これにより、複数台のＯＡＤＭ装置に対しても同時にループバック試験を実施することが可能となる。また、光スプリッタ部１２−１を光スイッチ部１２−２にて構成することも可能であるが、この場合はループバック試験部１２−１０に接続されている複数台のＯＡＤＭ装置のうち、ループバック試験を実施するＯＡＤＭ装置１−１に対してのみ試験光を選択して入力することになる。すなわち、上側のＯＡＤＭ装置に対して試験を実施する場合には、光スイッチ部１２−２を上側のＯＡＤＭ装置に対して切替え、上側のＯＡＤＭ装置に対して試験光１５−１を送出するが、真ん中のＯＡＤＭ装置１−１や下側のＯＡＤＭ装置１−１には試験光は送出されない。
【００３０】
図１６は第三の実施例における光スイッチ部１２−２の動作を説明するための図である。ループバック試験部１２−１０の内部に搭載されている光スイッチ部１２−２は光源部１２−６に対して受信側に配置されている。そのため上側のＯＡＤＭ装置１−１からの試験光１６−１、真ん中のＯＡＤＭ装置１−１からの試験光１６−２、下のＯＡＤＭ装置１−１からの試験光１６−３のいずれかを光スイッチ部１２−２にて選択し、選択した結果の試験光を受信部１２−８に対して入力する。これにより、複数台のＯＡＤＭ装置から同時にループバック試験を実施された場合に、光源部１２−６に対して複数の試験光１６−１、１６−２、１６−３が同時に入力されることでどのＯＡＤＭ装置から入力されたのか判別がつかなくなる、という問題を回避することが出来る。
【００３１】
以上に説明する通り、各々の実施例において、ループバック機能の結果は、折り返し信号の有無で判定（検出）されるである。つまり、外部装置４−１の受信部４−３や、制御光処理部２−４−１、ループバック光源部１２−６の受信部１２−８で、光スイッチで折り返された信号を受信することにより、ループバックの有無を判定する。
【符号の説明】
【００３２】
１−１：ＯＡＤＭ装置、１−２：ＯＬＴ装置、１−３：ＯＮＵ装置、１−４：アクセス、１−５：Ｌ２スイッチ、１−６：エッジ、１−７：メトロ、１−８：コア、２−１：伝送路（光ファイバ）、２−２：監視制御光制御部、２−３：トランスポンダ部、２−４：監視制御部、２−４−１：監視制御光処理部、２−５：波長多重機能部、２−６：監視制御光、２−７：信号光、３−１：監視制御信号、３−２：信号波長群、４−１：外部装置、４−２：送信部、４−３：受信部、５−１：２ｘ２光スイッチ、５−２：２ｘ２光スイッチ、６−１：監視制御端末、９−１：障害、１２−１：光スプリッタ部、１２−２：光スイッチ部、１２−３：波長可変フィルタ部、１２−４：２ｘ２光スイッチ部、１２−５：光スプリッタ部、１２−６：光源部、１２−７：送信部、１２−８：受信部、１２−９：入出力部、１２−１０：ループバック試験部、１３−１：試験光、１３−２：試験光、１３−３：試験光、１３−４：試験光、１３−５：試験光、１５−１：試験光、１５−２：試験光、１５−３：試験光、１６−１：試験光、１６−２：試験光、１６−３：試験光
【図１】
0005596397.tif 000002
【図２】
0005596397.tif 000003
【図３】
0005596397.tif 000004
【図４】
0005596397.tif 000005
【図５】
0005596397.tif 000006
【図６】
0005596397.tif 000007
【図７】
0005596397.tif 000008
【図８】
0005596397.tif 000009
【図９】
0005596397.tif 000010
【図１０】
0005596397.tif 000011
【図１１】
0005596397.tif 000012
【図１２】
0005596397.tif 000013
【図１３】
0005596397.tif 000014
【図１４】
0005596397.tif 000015
【図１５】
0005596397.tif 000016
【図１６】
0005596397.tif 000017